(57)【要約】【課題】接続端子を長期にわたって清浄に保持することにより緊急時の操作信頼性を高めることのできる扉用錠装置の提供を目的とする。【解決手段】扉１の室外側表面に固定される室外装置２と、  扉１に固定される電気錠３と、  電気錠３を駆動する駆動回路４と、  前記駆動回路４から前記室外装置２の外部に引き出され、先端に外部回路要素５への接続端子６を備えた接続部７が連結された外部引き出し配線８と、  前記室外装置２に形成され、前記接続端子６を基端部壁面に向けた姿勢で前記接続部７を嵌合して保持する保持部９とを有する。【選択図】  図６
2020060088.tif 000002
【特許請求の範囲】
【請求項１】
扉の室外側表面に固定される室外装置と、
扉に固定される電気錠と、
電気錠を駆動する駆動回路と、
前記駆動回路から前記室外装置の外部に引き出され、
先端に外部回路要素への接続端子を備えた接続部が連結された外部引き出し配線と、
前記室外装置に形成され、前記接続端子を基端部壁面に向けた姿勢で前記接続部を嵌合して保持する保持部とを有する扉用錠装置。
【請求項２】
前記接続部は、接続端子を保持部に圧入して該保持部に保持される請求項１記載の扉用錠装置。  
【請求項３】
前記接続部は電池のスナップ端子に外嵌合する外嵌合端子と、内嵌合する内嵌合端子を備えた電池スナップであり、
保持部は、前記外嵌合端子に内嵌合するボス部と、前記内嵌合端子に外嵌合する筒状部とを有する請求項１または２記載の扉用錠装置。
【請求項４】
前記室外装置は、前記扉を開放操作する際の手掛けとなり、下端面が下方を向く室外ハンドルを備えるとともに、
前記保持部は前記室外ハンドルの下端面に配置される請求項１、２または３記載の扉用錠装置。
【請求項５】
前記室外装置の保持部は室外装置に着脱自在なケースカバーにより覆われるとともに、
前記室外装置には、前記保持部を上方から覆う庇部が設けられる請求項１、２または３記載の扉用錠装置。
【請求項６】
前記室外装置には電気錠を手動操作するシリンダ錠が、室外装置の外表面に開設したシリンダアクセス開口から操作可能に配置されるとともに、
前記外部引き出し配線は、シリンダアクセス開口に形成したスリット状の配線引き出し部から室外装置の外部に引き出される請求項１から６のいずれかに記載の扉用錠装置。
【発明の詳細な説明】
【技術分野】
【０００１】
本発明は扉用錠装置に関するものである。
【背景技術】
【０００２】
電気錠により施解錠操作が行われる扉用錠装置としては特許文献１に記載のものが知られている。
【０００３】
この従来例において、扉用錠装置は、扉に固定される電気錠を制御する電子回路から引き出されるケーブルを備える。ケーブルの先端には９Ｖ乾電池に接続する補助電力端子と赤外線信号を受けるための受光素子が配置されており、電気錠が故障した際には、ケーブルの補助電力端子に乾電池を接続するとともに、電子キーを操作することにより受光素子から解錠信号を出力させて電気錠を解錠駆動させることができる。
【先行技術文献】
【特許文献】
【０００４】
【特許文献１】特開２００６-６３５３０号公報
【発明の概要】
【発明が解決しようとする課題】
【０００５】
しかし、上述した従来例において、ケーブルは扉の外壁に両面テープ等で貼り付けられて固定され、補助電力端子は暴露状態となっているために、長期の使用による発錆等により導通性能が劣化し、緊急時操作が不可能になってしまうという問題がある。
【０００６】
本発明は以上の欠点を解消すべくなされたものであって、接続端子を長期にわたって清浄に保持することにより緊急時の操作信頼性を高めることのできる扉用錠装置の提供を目的とする。
【課題を解決するための手段】
【０００７】
本発明によれば、上記目的は、
扉１の室外側表面に固定される室外装置２と、
扉１に固定される電気錠３と、
電気錠３を駆動する駆動回路４と、
前記駆動回路４から前記室外装置２の外部に引き出され、先端に外部回路要素５への接続端子６を備えた接続部７が連結された外部引き出し配線８と、
前記室外装置２に形成され、前記接続端子６を基端部壁面に向けた姿勢で前記接続部７を嵌合して保持する保持部９とを有する扉用錠装置を提供することにより達成される。
【０００８】
扉１の室外側表面には電気錠３を操作するための室外装置２が固定されており電気錠３を駆動するための駆動回路４に接続される外部引き出し配線８が室外装置２の表面部に引き出される。
【０００９】
外部引き出し配線８の先端には接続端子６を備えた接続部７が固定されており、この接続部７に適宜の外部回路要素５を接続することができる。外部回路要素５は駆動回路４への電源であったり、駆動回路４に設けられた緊急操作回路へのアクセス回路であってもよい。
【００１０】
接続部７が室外装置２に連結、保持される本発明において接続部７を確実に所定位置に保持することが可能になり、外部引き出し配線８の断線、接続部７の破損等を防止することができる。また、接続部７は接続端子６を保持部９の付け根部、すなわち、保持部９の基端部壁面に向けた姿勢で保持されるために、外部への接続端子６の露出を防止することができ、接続端子６を清浄に保つことができる。この結果、接続部７の良好な接続性能を長期にわたって維持することができる。
【００１１】
上記接続端子６は、接続端子６を保持するベース部をスナップフィットさせて保持部９に連結することもできるが、接続端子６を直接保持部９に圧入させて連結することもできる。
【００１２】
また、本発明の他の態様として、
前記接続部７は電池のスナップ端子に外嵌合する外嵌合端子１０と、内嵌合する内嵌合端子１１を備えた電池スナップ端子であり、
保持部９は、前記外嵌合端子１０に内嵌合するボス部１２と、前記内嵌合端子１１に外嵌合する筒状部１３とを有する扉用錠装置を構成することができる。
【００１３】
本態様において接続端子６は、例えば外部回路要素５としての９ボルト角形乾電池に連結される電池スナップとして形成される。電池スナップ端子は、電池のプラス極に被さるようにして外嵌合する外嵌合端子１０と、電池のマイナス極に差し込むようにして内嵌合する内嵌合端子１１とを有しており、保持部９への保持は、外嵌合端子１０にボス部１２を内嵌合させるとともに、内嵌合端子１１に筒状部１３を外嵌合して行われる。
【００１４】
この結果、接続端子６のコンタクト部は外部に露出することが防がれて清浄に維持されるために、長期にわたって良好な接続性能を維持することが可能になる。
【００１５】
さらに、
前記室外装置２は、前記扉１を開放操作する際の手掛けとなり、下端面が下方を向く室外ハンドル２５を備えるとともに、
前記保持部９は前記室外ハンドル２５の下端面に配置される扉用錠装置を構成した場合には、接続部７への雨水の浸入を防ぐことができる。
【００１６】
さらに、
前記室外装置２の保持部９は室外装置２に着脱自在なケースカバー１４により覆われるとともに、
前記には、前記保持部９を上方から覆う庇部１５が設けられる扉用錠装置を構成した場合には、接続部７への雨水の浸入を防ぐことができる。
【００１７】
また、
前記室外装置２には電気錠３を手動操作するシリンダ錠１６が、室外装置２の外表面に開設したシリンダアクセス開口１７から操作可能に配置されるとともに、
前記外部引き出し配線８は、シリンダアクセス開口１７に形成したスリット状の配線引き出し部１８から室外装置２の外部に引き出される扉用錠装置を構成した場合には、先端に連結された接続部７をシリンダアクセス開口１７を利用して室外装置２表面に引き出すことができるために、大きな引き出し用開口を別途設ける必要がなくなる。
【発明の効果】
【００１８】
本発明によれば、接続部の良好な接続性能を長期にわたって維持することができる。
【図面の簡単な説明】
【００１９】
【図１】本発明を示す図である。
【図２】室外装置の正面図で、（ａ）は通常状態を示す図、（ｂ）は認証装置の入力部を起動させた状態を示す図である。
【図３】図２（ａ）の３Ａ-３Ａ線断面図である。
【図４】本発明の分解図である。
【図５】下部ハンドルベースの外表面を示す斜視図である。
【図６】保持部を示す図で、（ａ）は正面図、（ｂ）は（ａ）の６Ｂ-６Ｂ線断面図、（ｃ）は（ｂ）の要部拡大図である。
【図７】接続部を示す図で、（ａ）は側面図、（ｂ）は（ａ）の７Ｂ方向矢視図である。
【図８】角型乾電池を示す図で、（ａ）は平面図、（ｂ）は側面図である。
【図９】本発明の変形例を示す図で、（ａ）は要部を示す図、（ｂ）は保持部に接続部を保持した状態を示す室外ハンドルの下端部を拡大して示す図である。
【発明を実施するための形態】
【００２０】
図１以下に示すように、扉用錠装置は、扉１の室外側表面に固定される室外装置２と、扉１内に固定される電気錠３とを有する。
【００２１】
電気錠３は、後述する下部ハンドルベース１９に対応する主錠３Ａと、上部ハンドルベース２０に対応する副錠３Ｂとから構成され、各々に図外のモータにより進退駆動されるデッドボルト２１が配置され、さらに、副錠３Ｂには、扉１の閉塞状態を維持するためのラッチ２２が装着される。
【００２２】
また、主錠３Ａと副錠３Ｂには緊急時に各々のデッドボルト２１を図外の解錠キーを使用して操作し、施解錠するためのシリンダ錠１６が固定されており、先端部が後述する上下部ハンドルベース２０、１９に形成された保持筒部２３内に嵌合する。
【００２３】
さらに、本例において、扉１の屋内の表面には扉１を操作する際の手掛けとなる室内ハンドル２４ａと、電気錠３に駆動電力を供給するためのバッテリーパック２４ｂとを含む室内装置２４が固定される。室内ハンドル２４ａには、電気錠３のデッドボルト２１を手動操作するためのサムターン装置２４ｃが組み込まれる。
【００２４】
上記室外装置２は、扉１を開放操作する際の手掛けとなる室外ハンドル２５と、扉１表面に固定され、室外ハンドル２５の下端部を回転自在に支持する下部ハンドルベース１９と、室外ハンドル２５の上端部を移動自在に保持する上部ハンドルベース２０とを有する。
【００２５】
室外ハンドル２５の上端部には認証装置の入力部２６が組み込まれており、入力部２６から取得した認証情報に対する認証が成立すると、主錠３Ａ、および副錠３Ｂが解錠状態に移行し、次いで、室外ハンドル２５を手前に引くことにより副錠３Ｂのラッチ２２が解除されて扉１を開くことができる。
【００２６】
図３に示すように、室外ハンドル２５は、中央部にグリップ部２５ａを備えるとともに、上端部にラッチ操作部２５ｂを、下端部に下部ハンドルベース１９に連結されて回転ヒンジを提供するヒンジ突部２５ｃを備える。
【００２７】
上下部ハンドルベース２０、１９に取り付けた状態で室外ハンドル２５をヒンジ突部２５ｃ周りに図３において時計回りに回転操作すると、ラッチ操作部２５ｂが右側に移動し、上述したように、副錠３Ｂのラッチ２２が解除される。
【００２８】
さらに、上述したように、主副錠３Ｂに固定されるシリンダ錠１６は上下部ハンドルベース２０、１９のシリンダ保持筒部２３内に嵌合されるとともに、先端のキー挿入端は上下部ハンドルベース２０、１９に開設されたシリンダアクセス開口１７から外部に露出しており、非常時以外の通常運用モードにおけるシリンダ錠１６の外部への露出を防ぐために、上下部ハンドルベース２０、１９の室外側表面には、ケースカバー１４が着脱自在に装着される。
【００２９】
本例において認証装置には入力された番号と予め登録しておいた番号との一致を認証成立条件とする暗証番号認証装置と、居住者が所持するカードに記憶された認証コードの一致を認証成立の条件とするカード認証装置としての機能を備えており、入力部２６に配置されたボタン２６ａを押下すると、図２（ｂ）に示すように、入力部２６に数字、図柄等が現れる。
【００３０】
図４に示すように、主錠３Ａ内には、この主錠３Ａ、および錠間接続配線２７ａを介して接続される副錠３Ｂを駆動するための駆動回路４が収容されており、給電配線２７ｂを使用して接続される上記室内装置２４のバッテリパック２４ｂから給電されて動作する。
【００３１】
駆動回路４には図外の認証判定回路が含まれており、室外ハンドル２５に組み込まれた入力部２６から入力された認証用情報に対する認証判定回路による認証が成立すると、主錠３Ａ、および副錠３Ｂ内のモータを駆動してデッドボルト２１を解錠方向に駆動する。
【００３２】
さらに、駆動回路４には外部回路要素５を接続するための外部引き出し配線８が接続され、下部ハンドルベース１９の外表面に引き出される。
【００３３】
外部引き出し配線８は駆動回路４の電源入力端子に連結されて、外部回路要素５として乾電池を接続することが可能であり、外部引き出し配線８の先端には、乾電池５の電極に接続可能な接続部７が連結される。
【００３４】
本例において接続部７は、図８に示すいわゆる９Ｖ角型電池に接続するための電池スナップであり、図７に示すように、ベース体７ａに一対の接続端子６を保持して形成される。接続端子６は、乾電池５のプラス極５ａに圧接状に外嵌合する外嵌合端子１０と、乾電池５のマイナス極５ｂに挿入されて圧接状に内嵌合する内嵌合端子１１とから構成される。
【００３５】
一方、図５、図６（ａ）に示すように、シリンダアクセス開口１７には放射方向に延びるスリット形状の配線引き出し部１８が切り欠かれており、上記接続部７は、図３に示すように、シリンダ保持筒部２３内を挿通した後、シリンダアクセス開口１７から外表面に引き出される。
【００３６】
以上のようにして、下部ハンドルベース１９の外表面に引き出された接続部７を保持するために、下部ハンドルベース１９には保持部９が形成される。
【００３７】
図６（ｃ）に示すように、保持部９は、外嵌合端子１０に挿入し、外嵌合端子１０のコンタクト部、すなわち、内周壁面に外周壁面が対峙するボス形状のボス部１２と、内嵌合端子１１に外嵌合し、内周壁面が内嵌合端子１１の外周壁面に対峙する円筒状の筒状部１３とから構成される。保持部９からの接続部７の脱落を防止するために、ボス部１２、あるいは筒状部１３の少なくとも一方は対応する端子に圧接するように寸法が設定される。
【００３８】
したがって本例において、接続部７を外表面に引き出した後、接続端子６をボス部１２、および筒状部１３に嵌合させることにより保持部９上に不用意な脱離を効果的に防止して保持することができる。保持状態において端子部の円柱面により形成されるコンタクト面は外部に露出することがないために、長期にわたって清浄さが維持される。
【００３９】
また、外部引き出し配線８は、図６（ａ）に示すように、配線引き出し部１８の終端部に寄せられており、シリンダアクセス開口１７から露出、あるいは突出するシリンダ錠１６の頭部との干渉が防止される。
【００４０】
さらに、下部ハンドルベース１９には、図５、６に示すように、保持部９を上方から覆うような庇部１５が突設されており雨水等の保持部９への流入が防がれる。
【００４１】
以上により、通常の運用モードにおいて、バッテリーパック２４ｂのバッテリー上がりが発生したときには、ケースカバー１４を取り外した後、接続部７を保持部９から取り外し、さらに、接続端子６を９Ｖ角型乾電池５の電極５ａ、５ｂに連結すると、駆動回路４への給電が開始される。
【００４２】
この結果、認証装置の入力部２６から暗証番号、あるいはカードを翳すことにより取得されるカード情報の入力を含む認証動作、および認証成立時のモータの駆動等が可能になるために、一時的な解錠操作が可能になる。
【００４３】
なお、以上においては、外部回路要素５として非常用の乾電池を接続するように構成した場合を示したが、例えば、入居者が不正に施錠操作をして退去した場合、認証装置に対する強制的な認証成立信号を生成する等、駆動回路４の動作を制御するように構成することができる。
【００４４】
このように接続端子６部の極数が多くなる場合、接続部７には通常のコネクタを使用することが可能であり、保持部９は、コネクタのハウジングにスナップフィットするように形成すれば足りる。
【００４５】
図９に本発明の変形例を示す。なお、本例の説明において、上述した実施の形態と同一の構成要素は図中に同一符号を付して説明を省略する。
【００４６】
上述した実施の形態において、保持部９は、下部ハンドルベース１９に形成され、接続部７は室外ハンドル２５から扉１内を経由し、下部ハンドルベース１９に開口された配線引き出し部１８から外部に引き出される。
【００４７】
これに対し、本変形例において、保持部９は室外ハンドル２５の下端面２５ｄに配置される。図９に示すように、室外ハンドル２５の下端面２５ｄは、下方、すなわち床面方向を向いて、ケースカバー１４の天井壁面１４ａに面しており、この室外ハンドル２５の下端面２５ｄに凹部２５ｅが形成される。
【００４８】
上記保持部９は凹部２５ｅの天井壁面に形成されており、保持部９に接続部７を保持した状態で、接続部７は凹部２５ｅ内に収容される状態となって、ケースカバー１４の天井壁面１４ａとの干渉が防止される。
【００４９】
このように、保持部９を室外ハンドル２５の下端面２５ｄに保持すると、室外ハンドル２５自体が庇の役割を果たすために、特別な庇部１５を設けることなく雨水等に対して接続部７を保護することができる。
【符号の説明】
【００５０】
１          扉
２          室外装置
３          電気錠
４          駆動回路
５          外部回路要素
６          接続端子
７          接続部
８          外部引き出し配線
９          保持部
１０        外嵌合端子
１１        内嵌合端子
１２        ボス部
１３        筒状部
１４        ケースカバー
１５        庇部
１６        シリンダ錠
１７        シリンダアクセス開口
１８        配線引き出し部
【図１】
2020060088.tif 000003
【図２】
2020060088.tif 000004
【図３】
2020060088.tif 000005
【図４】
2020060088.tif 000006
【図５】
2020060088.tif 000007
【図６】
2020060088.tif 000008
【図７】
2020060088.tif 000009
【図８】
2020060088.tif 000010
【図９】
2020060088.tif 000011